(57)【要約】      （修正有）【課題】既存の押しボタンを除去して部品点数を低減すると共に、縦方向の厚さを大幅に薄くすることができ、かつ、組立作業が簡易で、生産性を向上させることができるプッシュスイッチ装置を提供する。【解決手段】上部が開放された内部空間を有するハウジング１０と、前記ハウジング１０の開放された上部を覆う蓋板２０と、前記ハウジング１０内の底面に配置される接続片１２ｂ、１３ｂをそれぞれ備える第１及び第２固定端子１２、１３と、前記ハウジング１０の内部に設けられ、押圧により頂点部１４ａが弾性変形及び復元して前記第１固定端子１２の接続片１２ｂと第２固定端子１３の接続片１３ｂを電気的に接続または開放させるドーム状の可動端子１４を備え、前記蓋板２０は弾性変形及び復元可能な金属板材で形成して縁部をハウジング１０に固定し、蓋板２０の中央部分には可動端子１４の頂点部に接触する押し突起２１を下方に突設する。【選択図】図１
2013058450.tif 000002
【特許請求の範囲】
【請求項１】
上部が開放された内部空間を有するハウジングと、前記ハウジングの開放された上部を覆う蓋板と、前記ハウジング内の底面に配置される接続片をそれぞれ備える第１及び第２固定端子と、前記ハウジングの内部に設けられ、押圧により頂点部が弾性変形及び復元して前記第１固定端子の接続片と第２固定端子の接続片を電気的に接続または開放させるドーム状の可動端子を備えたプッシュスイッチ装置において、
前記蓋板は弾性変形及び復元可能な金属板材で形成され、その縁部はハウジングに固定され、蓋板の中央部分には可動端子の頂点部に接触する押し突起が下方に突設されていることを特徴とするプッシュスイッチ装置。
【請求項２】
前記蓋板の縁部にはＵ字状の複数の弾性固定片を形成し、前記ハウジングの開放部上面には前記複数の弾性固定片が挿入されて固定される複数の固定溝を形成したことを特徴とする請求項１に記載のプッシュスイッチ装置。
【請求項３】
前記ハウジングの開放部の上面と前記蓋板の上面には合成樹脂材の保護シートを付着したことを特徴とする請求項１または請求項２に記載のプッシュスイッチ装置。
【請求項４】
前記蓋板の縁部と前記押し突起との間には容易な弾性変形のために、複数の貫通孔を形成したことを特徴とする請求項３に記載のプッシュスイッチ装置。
【発明の詳細な説明】
【発明の詳細な説明】
【０００１】
［技術分野］
本発明はプッシュスイッチ装置に関するもので、より詳細には、ハウジングの開放部を覆う蓋板を利用して、ドーム状の可動端子の頂点部を下方に押圧するボタン機能を行うように構成することによって、部品点数を減らし、縦方向の厚さを減らしてさらに製品を薄型化することができるプッシュスイッチ装置に関するものである。
【０００２】
［背景技術］
一般的に、プッシュスイッチは携帯端末機、ゲーム機、各種電子機器などに多く使用するもので、従来のプッシュスイッチの構成を図５に示した。図５に示したように、従来のプッシュスイッチは、一側が開放された絶縁樹脂材のハウジング１と、ハウジング１内に設けられたドーム状の可動端子２及び複数の固定端子３と、前記ハウジング１に押し操作可能に設けられて可動端子２を作動させる押しボタン４と、前記ハウジング１の開放部を覆う蓋板５から構成されている。
【０００３】
したがって、押しボタン４の押し操作で可動端子２の頂点部を押圧すると、頂点部が下方に弾性変形及び復元して複数の固定端子３を電気的に接続または開放することによって、スイッチ機能を行う。
【０００４】
このような従来のプッシュスイッチにおいて、前記ハウジング１と蓋板５の組立構成をみると、合成樹脂材のハウジング１に形成した係合突起１ａと、金属材の蓋板５に形成した係合孔５ａを含み、これらの係合作用により蓋板５がハウジング１に組み立てるようになる。即ち、ハウジング１の係合突起１ａを蓋５の係合孔５ａに嵌め込んだ後(図５の仮想線で示す状態)、係合孔５ａを貫通して突出した係合突起１ａの先端部分を熱溶融させて断面積を拡張させることによって、蓋板５をハウジング１に固定した。
【０００５】
しかし、前述したような従来のプッシュスイッチ装置は、可動端子２の頂点部を押圧するための押しボタン４により縦方向の厚さが厚くなる短所があり、押しボタン４の上部が蓋板５の孔を通じて露出するので、蓋板５と押しボタン４との隙間にホコリなどが入り込む問題がある。
【０００６】
また、ハウジング１の係合突起１ａを蓋板５の係合孔５ａに挿通させる工程と、係合孔５ａに突出された係合突起１ａを熱溶融させて断面積を拡張させる工程を行わなければならないため、組立工数が増加して生産性が低下し、さらに組立工程を自動化する場合コストが上昇する問題がある。
【０００７】
［発明の概要］
［発明が解決しようとする課題］
本発明は前述した従来の問題点を解決するためになされたもので、その目的はハウジングの開放部を覆う蓋板が可動端子の頂点部を押圧するボタン機能を行うように構成することによって、既存の押しボタンを除去して部品点数を低減すると共に、縦方向の厚さを大幅に薄くすることができるプッシュスイッチ装置を提供することにある。
【０００８】
また本発明の他の目的は、ハウジングと蓋板の組立構成を単一工程により行うようにして組立工数を減少させることによって、作業を簡易で、迅速に行って生産性が向上することができるプッシュスイッチ装置を提供することにある。
【０００９】
［課題を解決するための手段］
前述した目的を達成するための本発明に係るプッシュスイッチ装置は、上部が開放された内部空間を有するハウジングと、前記ハウジングの開放された上部を覆う蓋板と、前記ハウジング内の底面に配置される接続片をそれぞれ備える第１及び第２固定端子と、前記ハウジングの内部に設けられ、押圧により頂点部が弾性変形及び復元して前記第１固定端子の接続片と第２固定端子の接続片を電気的に接続または開放させるドーム状の可動端子を備えたプッシュスイッチ装置において、前記蓋板は弾性変形及び復元可能な金属板材で形成され、その縁部はハウジングに固定され、蓋板の中央部分には可動端子の頂点部に接触する押し突起が下方に突設されていることを特徴とする。
【００１０】
ここで、前記蓋板の縁部にはＵ字状の複数の弾性固定片を形成し、前記ハウジングの開放部上面には前記複数の弾性固定片が挿入されて固定される複数の固定溝を形成したことが好ましい。
【００１１】
また、前記ハウジングの開放部の上面と前記蓋板の上面には合成樹脂材の保護シートを付着したことが好ましい。
【００１２】
さらに、前記蓋板の縁部と前記押し突起との間には容易な弾性変形のために、複数の貫通孔を形成したことが好ましい。
【００１３】
［発明の効果］
前述した特徴の構成を有する本発明のプッシュスイッチ装置によれば、ハウジングの開放部を覆う蓋板の中央部分を押し下げると、弾性変形及び復元可能な金属材質で製作した蓋板が押し方向に弾性変形して中央部分の押し突起が下方に移動するようになるので、ドーム状の可動端子の頂点部は押し突起により押圧されて下方に弾性変形するようになり、それによってハウジング内に配置された第１固定端子の接続片と第２固定端子の接続片を電気的に接続させることによって、スイッチング機能を行うようになる。
【００１４】
このように本発明は可動端子を押圧するボタン機能を、ハウジングの開放部を覆う開閉板により行うので、従来の押しボタンが不要であり、それによって部品点数を減らして生産性が向上し、製造単価を低減することができ、特に縦方向の厚さを大幅に薄くすることができるので、プッシュスイッチ装置をさらに薄型化できる。
【００１５】
また、本発明は蓋板の弾性固定片をハウジングの固定溝に嵌め込む簡単な作業により蓋板う固定することによって、ハウジングと蓋板の組立作業を簡易で、迅速に行うことができる。それによって、製品組立時の工数が減少して生産性が向上し、組立工程を自動化する場合コストを低減できる。
【００１６】
［発明を実施するための最良の形態］
以下、本発明の好ましい実施形態を添付図面に基づいて詳細に説明する。図１及び図２ａと図２ｂはそれぞれ、本発明のプッシュスイッチ装置を示した分解斜視図及び断面図であり、本発明のプッシュスイッチ装置は内部空間を有する六面体形状のハウジング１０を備える。ハウジング１０は絶縁樹脂を射出成形して構成するもので、内部には部品を設けることができるように所定大きさの内部空間を有し、上部は開放されている。部品の設置後、開放部は金属材質の蓋板２０で覆うようになっている。
【００１７】
ハウジング１０にはスイッチ機能のための第１及び第２固定端子１２、１３と、前記第１及び第２固定端子１２、１３を接続または開放してスイッチ機能を行う可動端子１４が設けられる。
【００１８】
第１及び第２固定端子１２、１３は伝導性金属で製造し、図１及び図３に示したように、ハウジング１０の射出成形時共にモールドしてハウジング１０内に埋め込む。第１及び第２固定端子１２、１３は外部との電気的接続のためにハウジング１０の両側壁下部で外部に露出される固定片１２ａ、１３ａをそれぞれ備え、ハウジング１０の内部底面には前記可動端子１４との接続のために露出した接続片１２ｂ、２３ｂをそれぞれ備える。この時、第１固定端子１２の接続片１２ｂはハウジング１０の底面中央に配置し、第２固定端子１３の接続片１３ｂはハウジング１０の底面縁部の両側２個所にそれぞれ配置する。
【００１９】
可動端子１４は伝導性と弾性を有するステンレススチールで製造し、ドーム状に形成してハウジング１０の底面上に設ける。上方にふっくらとした可動端子１４の頂点部１４ａは第１固定端子１２の接続片１２ｂ上に位置し、可動端子１４の縁部は第２固定端子１３の接続片１３ｂに接触して設ける。したがって、可動端子１４の頂点部１４ａを押圧して下方に弾性変形させると、図２ｂに示したように、可動端子１４の頂点部１４ａが第１固定端子１２の接続片１２ｂに接触される。それによって、第１及び第２固定端子１２、１３が電気的に接続され、押圧力を除去すると、図２ａに示したように、頂点部１４ａが弾性復元力により元の位置に復帰して第１及び第２固定端子１２、１３が電気的に開放される。
【００２０】
前記可動端子１４の頂点部１４ａを押圧するための押し機能はハウジング１０の開放部を覆う蓋板２０により行う。
【００２１】
蓋板２０は自体弾性により変形及び復元が可能な薄い金属板材、例えばステンレススチールで製造する。蓋板２０の縁部はハウジング１０に固設され、蓋板２０の中央部分には可動端子１４の頂点部１４ａに接触する押し突起２１が下方に突設されている。
【００２２】
したがって、蓋板２０を押し操作して下方に弾性変形させると、中央部粉が下方に弾性変形しながら押し突起２１が下方に移動し、それによって押し突起２１が可動端子１４の頂点部１４ａを押圧するようになる。この時、押し突起２１は、可動端子１４を押圧する際、押圧力を集中させて可動端子１４の頂点部１４ａをはっきりと下方に弾性変形させる。
【００２３】
一方、ハウジング１０と蓋板２０の固定構造をみると、前記蓋板２０の縁部に形成されたＵ字状の複数の弾性固定片２２と、前記ハウジング１０の開放部上面に形成され、前記複数の弾性固定片２２が挿入固定される複数の固定溝１１からなる。
【００２４】
この時、前記弾性固定片２２と固定溝１１は９０度の等間隔で４個所に形成することが好ましく、前記Ｕ字状になった弾性固定片２２の先端部の離間間隔は、これに対応するハウジング１０の固定溝１１の幅より大きくしなければならない。弾性固定片２２の先端部の離間間隔が大きいほど、弾性固定片２２を固定溝１１に嵌め込む時の弾性復元力が大きくなって、固定溝１１の側壁との固定状態を堅固に維持できる。
【００２５】
一方、本発明はハウジング１０の開放部の上面と前記蓋板２０の上面に合成樹脂材の薄い保護シート３０を接着剤で付着してハウジング１０の内部にホコリなどの異質や湿気が入り込まないようにしている。
【００２６】
また、前記蓋板２０の変形例として、図４に示したように、縁部と押し突起２１との間には容易な弾性変形のために、複数の貫通孔２３を形成することが好ましい。前記貫通孔２３は中央部分の押し突起２１を中心とする円周上に等間隔で複数配置し、また半径方向にも複数の円周上に交互に配置することが好ましく、貫通孔２３の形状は円周方向に延びる長孔の形態が好ましい。
【００２７】
このように構成した本発明の作用を説明すれば次の通りである。
【００２８】
図２ａ及び図２ｂに示したように、プッシュスイッチ装置の操作のために蓋板２０の中央部分を押さえると、蓋板２０の縁部が固定されているので、中央部粉が下方に弾性変形しながら押し突起２１が可動端子１４の方に移動して可動端子１４の頂点部１４ａを押し下げるようになる。
【００２９】
この時、蓋板２０は自体弾性による変形及び復元が可能な薄い金属板材で製造したものであるので、弾性変形が容易に行われる。
【００３０】
このように蓋板２０の押し突起２１が可動端子１４の頂点部１４ａを押圧すると、図３ｂに示したように、可動端子１４の頂点部１４ａが下方に弾性変形してハウジング１０に配置された第１固定端子１２の接続片１２ｂと接触する。したがって、第１固定端子１２と第２固定端子１３は電気的に接続された状態になる。
【００３１】
この時、蓋板２０の押圧突起３６は、押圧力を可動端子１４の頂点部１４ａに集中させるので、可動端子１４の頂点部１４ａを下方に弾性変形させる機能をはっきりと行うことができる。
【００３２】
次に、蓋板２０の押し力を除去すると、可動端子１４と蓋板２０はそれぞれ、自体の弾性復元力により元の位置に復帰する。それによって、可動端子１４の頂点部１４ａが第１固定端子１２の接続片１２ｂと離間するので、第１固定端子１２と第２固定端子１３は再び電気的に開放された状態になる。
【００３３】
このように本発明のプッシュスイッチ装置は蓋板２０を押す操作のみにより可動端子１４の頂点部１４ａを押圧するスイッチング機能が行われ、繰り返しにスイッチング機能を行うことができる。
【００３４】
また、本発明はハウジング１０と蓋板２０の固定作業が非常に簡易で、迅速に行われる。即ち、蓋板２０のＵ字状の弾性固定片２２をハウジング１０の固定溝１１に嵌め込むと、固定溝１１に挿入される過程で弾性固定片２２が収縮して内部に弾性復元力が生じ、固定溝１１に完全に挿入された後には内部の弾性復元力により弾性固定片２２が拡張されて固定溝１１の側壁に密着するようになる。したがって、蓋板２０をハウジング１０に固定した状態を維持できる。
【００３５】
［産業上の利用可能性］
以上のように、本発明によれば、ハウジングの開放部を覆う蓋板が可動端子の頂点部を押圧するボタン機能を行うようにすることによって、既存の押しボタンを除去して部品点数を低減すると共に、縦方向の厚さを大幅に薄くすることができ、ハウジングと蓋板の組立作業を単一工程で行うように構成して組立工数を減少できる。それによって、組立作業が簡易で、迅速に行われて生産性を向上させることができる。従って、本発明の産業利用性はきわめて高いものといえる。
【００３６】
一方、本明細書内で本発明をいくつかの好ましい実施形態によって記述したが、当業者ならば、添付の特許請求範囲に開示した本発明の範疇及び思想から外れずに、多くの変形及び修正がなされ得ることがわかるはずである。
【００３７】
［図面の簡単な説明］
［図１］
本発明に係るプッシュスイッチ装置を示した分解斜視図である。
【００３８】
［図２］
図２ａ及び図２ｂは本発明に係るプッシュスイッチ装置の作動状態を示した縦断面図である。
【００３９】
［図３］
本発明に係るプッシュスイッチ装置において第１及び第２固定端子の設置状態を示したハウジングの横断面図である。
【００４０】
［図４］
本発明に係るプッシュスイッチ装置において蓋板の変形例を示した平面図である。
【００４１】
［図５］
従来のプッシュスイッチ装置を示した縦断面図である。
【００４２】
［符号の説明］
１０  ハウジング
１１  固定溝
１２、１３  第１及び第２固定端子
１４  可動端子
２０  蓋板
２１  押し突起
２２  弾性固定片
２３  貫通孔
３０  保護シート
【図面の簡単な説明】
【００４３】
【図１】本発明に係るプッシュスイッチ装置を示した分解斜視図である。
【図２ａ】図２ａは本発明に係るプッシュスイッチ装置の作動状態を示した縦断面図である。
【図２ｂ】図２ｂは本発明に係るプッシュスイッチ装置の作動状態を示した縦断面図である。
【図３】本発明に係るプッシュスイッチ装置において第１及び第２固定端子の設置状態を示したハウジングの横断面図である。
【図４】本発明に係るプッシュスイッチ装置において蓋板の変形例を示した平面図である。
【図５】従来のプッシュスイッチ装置を示した縦断面図である。
【図１】
2013058450.tif 000003
【図２ａ】
2013058450.tif 000004
【図２ｂ】
2013058450.tif 000005
【図３】
2013058450.tif 000006
【図４】
2013058450.tif 000007
【図５】
2013058450.tif 000008